(57)【要約】      （修正有）【課題】使用者が手順どおりに手を洗浄するように規制できず、エネルギーの管理も行っていないという問題を解決することができる手洗浄システムを提供する。【解決手段】手洗浄システムであって、４つの洗浄装置１１〜１４と、検知装置１５と、制御装置とを含む。各洗浄装置が異なる洗浄サービスを提供し、制御装置が各洗浄装置及び検知装置に接続され、制御装置にプロセス制御データが設定され、プロセス制御データが読み取られたとき、制御装置は各洗浄装置を順次起動させ、制御装置は、各洗浄装置を独立して起動させるための第１動作モード、及びプロセス開始信号を受信したとき、プロセス制御データを読み取って各洗浄装置の動作を一時的に制御するための第２動作モードを備え、制御装置は、第２動作モードにおいて各洗浄装置の使用時間が最小使用時間要件を満たしているか否かを判断し、結果によっては使用者に確実に手を洗浄するように指示する。【選択図】図２
2019127817.tif 000002
【特許請求の範囲】
【請求項１】
手洗浄システムであって、
４つの洗浄装置であって、各前記洗浄装置は検出素子を備え、前記検出素子がトリガされると起動信号を生成し、各前記洗浄装置は前記起動信号に従って起動した後、洗浄サービスを提供し、前記４つの洗浄装置は順に石鹸供給機、蛇口、ハンドドライヤ及び消毒剤供給機で、それぞれ異なる洗浄サービスを提供する４つの洗浄装置と、
識別タグが近づくことを検出したとき、プロセス開始信号を生成する検知装置と、
制御装置であって、各前記洗浄装置及び前記検知装置に接続され、前記制御装置にプロセス制御データが設定され、前記プロセス制御データが読み取られると、前記制御装置は各前記洗浄装置を順次制御し、且つそれぞれ動作時間データとして各前記洗浄装置にアナログ起動信号を出力し、前記動作時間データは対応する洗浄サービスに基づき設定され、前記プロセス制御データには、前記動作時間データに基づき定められた最小使用時間要件を含み、前記制御装置は、各前記洗浄装置を独立して起動させるための第１動作モード、及び前記プロセス開始信号を受信したとき、前記プロセス制御データを読み取って各洗浄装置の動作を一時的に制御するための第２動作モードを備え、ただし、第２動作モードにおいては、前記制御装置が、各前記検出素子が生成した前記起動信号を受信し、且つ前記起動信号の持続時間と前記最小使用時間要件とを比較し、前記起動信号の持続時間が前記最小使用時間要件を満たさない場合、前記制御装置は前記洗浄装置を再起動させる制御装置とを含むことを特徴とする手洗浄システム。
【請求項２】
前記プロセス制御データは、少なくとも前記動作時間データに続く待機時間データを含み、前記待機時間データにより限定された時間範囲内に、各前記洗浄装置は起動されないことを特徴とする請求項１に記載の手洗浄システム。
【請求項３】
前記プロセス制御データは、少なくとも各前記動作時間データ前に設定された段階表示時間データを含み、前記制御装置は、前記段階表示時間データに基づき、起動しようとする前記洗浄装置に該当する段階を表示するように指示することを特徴とする請求項２に記載の手洗浄システム。
【請求項４】
前記段階表示として、前記洗浄装置に設けられた発光素子が発光することを特徴とする請求項３に記載の手洗浄システム。
【請求項５】
前記制御装置は、第２動作モードにおいて、前記起動信号の持続時間を計時して使用時間データを生成し、前記制御装置は、前記動作時間データに基づく推定エネルギー消費データ及び前記使用時間データに基づく実際エネルギー消費データを生成することを特徴とする請求項１に記載の手洗浄システム。
【請求項６】
各洗浄装置及び前記制御装置を設置するためのカウンタを備え、前記カウンタに各洗浄装置の供給口と対向するシンクが成形されることを特徴とする請求項１に記載の手洗浄システム。
【請求項７】
前記制御装置は、少なくとも前記識別タグ及び前記使用時間データに基づくユーザデータを生成することを特徴とする請求項５に記載の手洗浄システム。
【請求項８】
前記制御装置とデータ的に接続されたサーボデータベースを含むことを特徴とする請求項７に記載の手洗浄システム。
【請求項９】
前記制御装置に接続された表示装置を含み、前記制御装置は前記プロセス制御データを読み取るとき、前記表示装置に複数の画像データを出力し、前記表示装置は各前記画像データに基づき表示することを特徴とする請求項１に記載の手洗浄システム。
【発明の詳細な説明】
【技術分野】
【０００１】
本発明は、手洗浄システムに関し、特に手洗浄ついての管理及びエネルギー消費の管理が可能な手洗浄システムに関するものである。
【背景技術】
【０００２】
病院や食品製造工場では、手についた汚れからの細菌が作業や製品に影響を与えることを防止するために、一般的に手洗浄システムを設置し、作業員が定められた手順に従って手を洗浄することを求める。関連技術としては、特許文献１及び特許文献２が挙げられる。
【０００３】
特許文献１によれば、使用者の身分を識別して実際の使用状況を記録することで、使用者が確実に手を洗浄したかどうかを把握でき、さらに使用者が確実に手を洗浄しなかったとき、口頭で注意することはできるが、使用者が定められた手順に従って手を洗浄するように規制できず、しかも使用者が手順どおりに実行したかどうかも把握できない。特許文献２によれば、複数の洗浄装置を同一の機器に設置しただけで、使用者が手を洗浄したかどうか、手順どおりに最後まで実行したかどうかを確認しないため、この機器を設置する本来の目的は十分達成されていない。
【０００４】
また、上記の特許技術では、いずれも手洗浄システムのエネルギー消費についての管理を行わないため、資源が無駄となる問題もある。
【先行技術文献】
【特許文献】
【０００５】
【特許文献１】米国特許登録第９７１５８１７号明細書
【特許文献２】中国特許公開第１０４９７０７２２号明細書
【発明の概要】
【発明が解決しようとする課題】
【０００６】
本発明は、従来技術では、使用者が手順どおりに手を洗浄するように規制できず、エネルギーの管理も行っていないという問題を解決することを目的とする。
【課題を解決するための手段】
【０００７】
本発明は上記の目的を達成すべくなされたものであり、手洗浄システムを提供し、４つの洗浄装置と、検知装置と、制御装置とを含む。
各前記洗浄装置は検出素子を備え、前記検出素子がトリガされると起動信号を生成し、各前記洗浄装置は前記起動信号に従って起動した後、洗浄サービスを提供し、前記４つの洗浄装置は順に石鹸供給機、蛇口、ハンドドライヤ及び消毒剤供給機で、それぞれ異なる洗浄サービスを提供する。
前記検知装置は識別タグが近づくことを検出したとき、プロセス開始信号を生成する。
前記制御装置が各前記洗浄装置及び前記検知装置に接続され、前記制御装置にプロセス制御データが設定され、前記プロセス制御データが読み取られると、前記制御装置は各前記洗浄装置を順次制御し、且つそれぞれ動作時間データとして各前記洗浄装置にアナログ起動信号を出力し、前記動作時間データは対応する洗浄サービスに基づき設定され、前記プロセス制御データには、前記動作時間データに基づき定められた最小使用時間要件を含み、前記制御装置は、各前記洗浄装置を独立して起動させるための第１動作モード、及び前記プロセス開始信号を受信したとき、前記プロセス制御データを読み取って各洗浄装置の動作を一時的に制御するための第２動作モードを備え、ただし、第２動作モードにおいては、前記制御装置が、各前記検出素子が生成した前記起動信号を受信し、且つ前記起動信号の持続時間と前記最小使用時間要件とを比較し、前記起動信号の持続時間が前記最小使用時間要件を満たさない場合、前記制御装置は前記洗浄装置を再起動させる。
【０００８】
場合によっては、前記プロセス制御データは、少なくとも前記動作時間データに続く待機時間データを含み、前記待機時間データにより限定された時間範囲内に、各前記洗浄装置は起動されない。
【０００９】
場合によっては、前記プロセス制御データは、少なくとも各前記動作時間データ前に設定された段階表示時間データを含み、前記制御装置は、前記段階表示時間データに基づき、起動しようとする前記洗浄装置に該当する段階を表示するように指示する。さらに、前記段階表示として、前記洗浄装置に設けられた発光素子が発光する。
【００１０】
場合によっては、前記制御装置は、第２動作モードにおいて、前記起動信号の持続時間を計時して使用時間データを生成し、前記制御装置は、前記動作時間データに基づく推定エネルギー消費データ及び前記使用時間データに基づく実際エネルギー消費データを生成する。
【００１１】
場合によっては、前記手洗浄システムは、各洗浄装置及び前記制御装置を設置するためのカウンタを備え、前記カウンタに各洗浄装置の供給口と対向するシンクが成形される。
【００１２】
場合によっては、前記制御装置は、少なくとも前記識別タグ及び前記使用時間データに基づくユーザデータを生成する。
【００１３】
場合によっては、前記手洗浄システムは、前記制御装置とデータ的に接続されたサーボデータベースを含む。
【００１４】
場合によっては、前記手洗浄システムは、前記制御装置に接続された表示装置を含み、前記制御装置は前記プロセス制御データを読み取るとき、前記表示装置に複数の画像データを出力し、前記表示装置は各前記画像データに基づき表示する。
【発明の効果】
【００１５】
上記の記載から、従来技術と比べ、本発明は次のいくつかの有益な効果を得られることが明らかになる。
本発明の手洗浄システムは、使用者が定められた動作で手を洗浄するように規制でき、使用者が適度に手を洗浄しただけという問題を解決できる。また、当該手洗浄システムにおいて、管理員は推定エネルギー消費データ及び実際エネルギー消費データに基づき調整することで、資源が無駄になることを防止できる。
【図面の簡単な説明】
【００１６】
【図１】本発明の一実施例のユニット構成図である。
【図２】本発明の一実施例の構造図である。
【図３】本発明の一実施例の洗浄装置の構造図である。
【図４】本発明の一実施例のプロセス制御データの波形図である。
【図５】本発明の一実施例の実施を示す図である。
【発明を実施するための形態】
【００１７】
以下、図面を参照しながら本発明の詳細や技術内容について説明する。
【００１８】
図１、図２、図３に示すように、本発明は、手洗浄システム１００を提供し、手洗浄システム１００は、手の洗浄が求められる場所、例えば工場、手術室、幼稚園などに設置できる。手洗浄システム１００は、４つの洗浄装置（１１、１２、１３、１４）と、検知装置１５と、制御装置１６とを含む。各洗浄装置１１（１２、１３、１４）が起動した後、洗浄サービスを提供し、前記洗浄サービスとは、石鹸液の供給、水の供給、消毒剤の供給及び手乾燥用ガスの供給のうちのいずれかで、且つ各洗浄装置（１１、１２、１３、１４）はそれぞれ異なる洗浄サービスを提供し、本発明の４つの洗浄装置（１１、１２、１３、１４）は、順に石鹸供給機、蛇口、ハンドドライヤ及び消毒剤供給機で、図２に示す方向８０に順次設けられる。図３に示すように、各洗浄装置１３は検出素子１３１を備え、検出素子１３１は、例えば、赤外線センサ、又は物体が近づくことを検出可能な別の素子であり、検出素子１３１は使用者が近づくことでトリガされると、起動信号１３２を生成する。検出素子１３１が起動信号１３２を生成したら、各洗浄装置１３が起動して前記洗浄サービスを提供する。図２に示すように、場合によっては、手洗浄システム１００はカウンタ１７を備え、各洗浄装置（１１、１２、１３、１４）及び制御装置１６がカウンタ１７に設けられる。さらに、カウンタ１７にシンク１７１が成形され、各洗浄装置１３の供給口１３３がシンク１７１と対向して設けられる。
【００１９】
また、検知装置１５をカウンタ１７に、又はカウンタ１７の近くに設けることができ、検知装置１５は、無線周波数識別（Ｒａｄｉｏ  Ｆｒｅｑｕｅｎｃｙ  Ｉｄｅｎｔｉｆｉｃａｔｉｏｎ、ＲＦＩＤ）に基づく装置であり、検知装置１５は特定の距離範囲（検知可能距離）においてしか検知できず、例えば、前記検知可能距離を１ｃｍ又は０.５ｃｍに設定する。検知装置１５が特定の識別タグ４０にのみ応答するように予め設定し、識別タグ４０は唯一のコードを有するため、特定の使用者と対応するように設定してもよい。識別タグ４０は、例えば、ポータブル電子装置又はカードに内蔵される。検知装置１５が起動した後、識別タグ４０が近づくことを検知したらプロセス開始信号１５１を生成する。
【００２０】
また、制御装置１６は、例えば、コンピュータやプログラマブルロジックコントローラ（Ｐｒｏｇｒａｍｍａｂｌｅ  Ｌｏｇｉｃ  Ｃｏｎｔｒｏｌｌｅｒ、ＰＬＣ）である。制御装置１６は、少なくとも処理ユニット１８及び記憶ユニット１９を含み、制御装置１６が各洗浄装置１１（１２、１３、１４）及び検知装置１５に電気的に接続され、制御装置１６にプロセス制御データ２０が設定され、プロセス制御データ２０が記憶ユニット１９に記憶される。図４に示すように、場合によっては、プロセス制御データ２０は起動順序データ２０１及び複数の動作時間データ（２０２、２０３、２０４、２０５）を含み、起動順序データ２０１は各洗浄装置（１１、１２、１３、１４）の起動順序を規定し、起動順序は洗浄手順に基づき設定され、なお、各洗浄装置（１１、１２、１３、１４）が配置される順序も洗浄手順に基づき決められる。このため、本実施例では、洗浄装置１１として石鹸供給機、洗浄装置１２として蛇口、洗浄装置１３としてハンドドライヤ、洗浄装置１４として消毒剤供給機の順で実施される。また、各動作時間データ（２０２、２０３、２０４、２０５）は洗浄装置１１（１２、１３、１４）のそれぞれと対応するように設定され、各動作時間データ２０２（２０３、２０４、２０５）は処理ユニット１８が各洗浄装置１１（１２、１３、１４）にアナログ起動信号１８１を出力する時間の長さを規定し、且つ各動作時間データ２０２（２０３、２０４、２０５）は対応する洗浄サービスに基づき設定される。さらに、本発明では、プロセス制御データ２０が各動作時間データ２０２（２０３、２０４、２０５）に基づきそれぞれ規定された複数の最小使用時間要件（２０６、２０７、２０８、２０９）を含み、各最小使用時間要件２０６（２０７、２０８、２０９）は、各動作時間データ２０２（２０３、２０４、２０５）について計時する間に各洗浄装置１１（１２、１３、１４）が使用されるべき最小時間を規定し、各動作時間データ２０２（２０３、２０４、２０５）に対するパーセンテージに設定されてもよい。例えば、最小使用時間要件２０６を動作時間データ２０２の８０％に設定すると、使用者は所定時間の８０％以上で当該洗浄段階を実行しなければならないことになる。
【００２１】
さらに、制御装置１６は、各洗浄装置１１（１２、１３、１４）を独立して起動させるための第１動作モード、及びプロセス開始信号１５１を受信するとき、プロセス制御データ２０を読み取って各洗浄装置（１１、１２、１３、１４）の動作を一時的に制御するための第２動作モードを備える。図１に示すように、制御装置１６は、プロセス開始信号１５１を受信しないなら、常に第１動作モードで作動し、各洗浄装置１１（１２、１３、１４）は独立して使用者にトリガされて起動できる。図１、図５に示すように、使用者が識別タグ４０を持って検知装置１５の検知可能距離まで近づくと、検知装置１５が応答し、且つ制御装置１６にプロセス開始信号１５１を送信し、制御装置１６は、プロセス開始信号１５１を受信した後、第２動作モードに切り替える。第２動作モードにおいては、制御装置１６は、各洗浄装置１１（１２、１３、１４）が一時的に起動信号１１２（１２２、１３２、１４２）によって制御されないようにし、すなわち、このとき使用者は洗浄装置１１（１２、１３、１４）のいずれも任意に起動できない。制御装置１６は、プロセス開始信号１５１に基づき、最初に起動するように設定された洗浄装置１１を起動させ、使用者に石鹸液を供給する。同時に、洗浄装置１１の検出素子１１１は手が近づくことを検知したため起動信号１１２を生成し、ただし、このとき起動信号１１２は洗浄装置１１を起動させるためではなく、制御装置１６が起動信号１１２を受信し、且つ起動信号１１２の持続時間を計時し、起動信号１１２の持続時間と最小使用時間要件２０６とを比較することで、使用者が実際に使用した時間が要件を満たしたか否かを判断し、最小使用時間要件２０６を満たさないと判断した場合、制御装置１６は洗浄装置１１を再起動させ、使用者に再度実行するように指示し、最小使用時間要件２０６を満たしたら次の段階に進む。これにより、使用者が確実に手を洗浄するように規制でき、従来技術は形式的なものにとどまるという欠点を解消できる。なお、使用者に再度実行するように指示するときは、使用者に最小使用時間要件２０６より少ない分だけ続行するように指示してもよい。例えば、前回洗浄時は、最小使用時間要件を満たすにはさらに３秒必要であるなら、同洗浄段階を３秒続行するように指示する。
【００２２】
図４に示すように、場合によっては、プロセス制御データ２０は、少なくとも動作時間データ２０２（２０３、２０４、２０５）に続く待機時間データ２１０（２１１、２１２、２１３）を含み、待機時間データ２１０（２１１、２１２、２１３）により限定された時間範囲内に、各洗浄装置１１（１２、１３、１４）は起動されない。また、待機時間データ２１０（２１１、２１２、２１３）を設定するのは、使用者が次の段階に備えて準備する時間を与えるためである。例えば、この間を利用して石鹸液をこすって泡を立てるなど。場合によっては、プロセス制御データ２０は少なくとも各動作時間データ２０２（２０３、２０４、２０５）前に設定された段階表示時間データ２１４（２１５、２１６、２１７）を含み、制御装置１６は段階表示時間データ２１４に基づき、起動しようとする洗浄装置１１に該当する段階を表示するように指示する。なお、段階表示時間データ２１４（２１５、２１６、２１７）も限定された時間範囲である。各洗浄装置１３は、それぞれ発光素子１３４を備えてもよい。発光素子１３４としては、発光ダイオードが挙げられる。制御装置１６は、段階表示時間データ２１５により限定された時間範囲内に、起動しようとする洗浄装置１３の発光素子１３４に発光するように指示し、発光方式としては、点滅、連続発光又は光の色の変化が挙げられ、これによって使用者がそのとき実行している段階を示す。また、場合によっては、手洗浄システム１００は制御装置１６に接続された表示装置２２を含み、制御装置１６がプロセス制御データ２０を読み取るとき、表示装置２２に複数の画像データ１６１を出力し、表示装置２２が各画像データ１６１に基づき表示する。さらに、各画像データ１６１は、例えば、独立して記憶ユニット１９に記憶され、且つプロセス制御データ２０と関連付けて読み取られ、さらに、各画像データ１６１において、動作時間データ２０２（２０３、２０４、２０５）及びそのとき取得した起動信号１１２（１２２、１３２、１４２）に基づきプロセスの進捗状況を表示し、各画像データ１６１はパーセンテージでプロセスの進捗状況を示すものでもよい。
【００２３】
さらに、場合によっては、制御装置１６は、第２動作モードにおいて、起動信号１１２（１２２、１３２、１４２）の持続時間を計時して使用時間データを生成し、制御装置１６は各動作時間データ２０２（２０３、２０４、２０５）に基づく推定エネルギー消費データ及び使用時間データに基づく実際エネルギー消費データを生成する。なお、エネルギー消費とは、例えば、石鹸液の使用、水の使用、ハンドドライヤの起動に消費された電気エネルギーや消毒剤の使用を指すものである。
【００２４】
制御装置１６において、記憶ユニット１９に各洗浄装置１１（１２、１３、１４）のエネルギー消費データが予め記憶されてもよく、制御装置１６はエネルギー消費データ及び各動作時間データ２０２（２０３、２０４、２０５）に基づき、洗浄プロセスにおける各洗浄装置１１（１２、１３、１４）のエネルギー消費を算出し、各洗浄装置１１（１２、１３、１４）のエネルギー消費を集計することで推定エネルギー消費データを得る。そして、制御装置１６は、第２動作モードで作動する間、各洗浄装置１１（１２、１３、１４）の使用時間データ及びエネルギー消費量データに基づき、使用者が各洗浄装置１１（１２、１３、１４）を使用したときの実際のエネルギー消費量を算出して集計することで実際エネルギー消費データを得る。推定エネルギー消費データ及び実際エネルギー消費データは、例えば、記憶ユニット１９に記憶され、管理員が推定エネルギー消費データ及び実際エネルギー消費データを調べて、洗浄手順がそのときの状況に適合するようにプロセス制御データ２０を調整することで、手洗浄システム１００のエネルギー消費について管理し、資源が無駄になることを防止できる。
【００２５】
場合によっては、制御装置１６は少なくとも識別タグ４０及び使用時間データに基づくユーザデータを生成し、ユーザデータは各使用者の使用状況を示し、ユーザデータが記憶ユニット１９に記憶され、且つユーザデータの更新は、使用者が識別タグ４０により洗浄プロセスを開始するときに行われるため、管理員は各ユーザデータにアクセスすることで、各使用者の使用習慣を把握し、各使用者が洗浄手順に従って実行したか否かを判断できる。さらに、ユーザデータには、使用者が洗浄手順を実行するとき、最小使用時間要件２０６（２０７、２０８、２０９）を満たさない回数を記録してもよい。
【００２６】
図１に示すように、場合によっては、手洗浄システム１００は、制御装置１６にデータ的に接続されたサーボデータベース５０を含む。本実施例では、制御装置１６は、インターネットに接続でき、サーボデータベース５０は、従来のクラウドデータベースのようなもので、必ずしも制御装置１６の周りに設置されるとは限らない。制御装置１６はインターネットを介してサーボデータベース５０にアクセスして、データの交換を行うことができる。このように、制御装置１６が各ユーザデータ、推定エネルギー消費データ及び実際エネルギー消費データをサーボデータベース５０に伝送することで、管理員はインターネットを介してサーボデータベース５０にアクセスして関連データを調べることができる。また、管理員はサーボデータベース５０を介して制御装置１６にデータを送信して、制御装置１６のプロセス制御データ２０を修正できる。手洗浄システム１００が複数設置された場合、各手洗浄システム１００は、独立する識別番号を有するため、管理員は識別番号に基づき各手洗浄システム１００の使用状況を把握し、又は識別番号を利用して各手洗浄システム１００を制御できる。
【符号の説明】
【００２７】
１１、１２、１３、１４  洗浄装置
１１１、１２１、１３１、１４１  検出素子
１１２、１２２、１３２、１４２  起動信号
１３３  供給口
１３４  発光素子
１５  検知装置
１５１  プロセス開始信号
１６  制御装置
１６１  画像データ
１７  カウンタ
１７１  シンク
１８  処理ユニット
１８１  アナログ起動信号
１９  記憶ユニット
２０  プロセス制御データ
２０１  起動順序データ
２０２、２０３、２０４、２０５  動作時間データ
２０６、２０７、２０８、２０９  最小使用時間要件
２１０、２１１、２１２、２１３  待機時間データ
２１４、２１５、２１６、２１７  段階表示時間データ
２２  表示装置
４０  識別タグ
５０  サーボデータベース
８０  方向
１００  手洗浄システム
【図１】
2019127817.tif 000003
【図２】
2019127817.tif 000004
【図３】
2019127817.tif 000005
【図４】
2019127817.tif 000006
【図５】
2019127817.tif 000007
【外国語明細書】
2019127817000001.pdf